(57)【要約】【課題】梁鉄筋を柱の連結筋に簡単に突き合わせることができる梁鉄筋用突き合わせ治具を提供することである。【解決手段】梁鉄筋用突き合わせ治具１は、適宜間隔をもって対向設置された掛止板２がネジ棒３によって移動自在に連結され、前記掛止板２には挿入溝６が切欠形成され、該挿入溝６が下側に向かって漸次広くなっており、前記掛止板２の移動を安定させるガイド棒４がネジ棒３に沿って掛止板２間に設置された構成である。【選択図】    図１
2004232278.tif 000002
【特許請求の範囲】
【請求項１】
適宜間隔をもって対向設置された掛止板がネジ棒によって移動自在に連結され、前記掛止板には挿入溝が切欠形成され、該挿入溝が下側に向かって漸次広くなっていることを特徴とする梁鉄筋用突き合わせ治具。
【請求項２】
掛止板の移動を安定させるガイド棒がネジ棒に沿って掛止板間に設置されたことを特徴とする請求項１に記載の梁鉄筋用突き合わせ治具。
【請求項３】
挿入溝は複数設けられたことを特徴とする請求項１または２に記載の梁鉄筋用突き合わせ治具。
【発明の詳細な説明】
【０００１】
【発明の属する技術分野】
本発明は梁鉄筋用突き合わせ治具に関するものである。
【０００２】
【従来の技術】
鉄筋コンクリート構造の建物を構築する際に、柱間に梁鉄筋を設置するものとして、例えば特開２００２−１９４８１２号公報の発明が知られている。これは柱間に梁を効率的に設置するものであるが、地組した梁鉄筋を柱に接合するには、図４に示すように、クレーンで吊り上げた梁鉄筋２１を、脚立上の作業員２２の指示で柱２３の連結筋２４に突き合わせて接合していた。
【０００３】
【特許文献１】
特開２００２−１９４８１２号公報（図４）
【０００４】
【発明が解決しようとする課題】
しかし、上記の梁鉄筋の連結筋への突き合わせは下記のような問題があった。
（１）クレーンによる突き合わせには時間がかかり、梁鉄筋をある程度までしか引き寄せることができない
（２）梁鉄筋と連結筋とのずれや離間距離を手作業で直さなければならなかった
（３）作業者の脚立上での作業が危険であった
【０００５】
本発明はこれらの問題に鑑みてなされたものであり、その目的は、梁鉄筋を柱の連結筋に簡単に突き合わせることができる梁鉄筋用突き合わせ治具を提供することである。
【０００６】
【課題を解決するための手段】
以上の課題を解決するための梁鉄筋用突き合わせ治具は、適宜間隔をもって対向設置された掛止板がネジ棒によって移動自在に連結され、前記掛止板には挿入溝が切欠形成され、該挿入溝が下側に向かって漸次広くなっている構成である。また掛止板の移動を安定させるガイド棒がネジ棒に沿って掛止板間に設置されたことを含む。また挿入溝は複数設けられたことを含むものである。
【０００７】
クレーンで吊り上げた梁鉄筋（地組された）の主筋と、柱筋から突出した連結筋の主筋とを掛止板の挿入溝に挿入して梁鉄筋用突き合わせ治具をセットする。そして、この梁鉄筋用突き合わせ治具のネジ棒を回転させると、掛止板同士が合わさる方向に移動して梁鉄筋を連結筋に突き合わせる。次に、これら突き合わされた主筋同士をカプラーおよびナットで接合する。また挿入溝が下側に向かって漸次広くなっているため、どのような径の主筋でも挿入することができる。また掛止板同士の移動はガイド棒により安定して円滑に行われる。また複数の挿入溝に主筋が挿入されると、梁鉄筋用突き合わせ治具の梁鉄筋と連結筋との間の設置を安定させることができる。
【０００８】
【発明の実施の形態】
以下、本発明の梁鉄筋用突き合わせ治具（以下、突き合わせ治具という）の実施の形態を図面に基づいて詳細に説明する。この突き合わせ治具は地組した梁鉄筋をクレーンで吊り上げた状態で柱側に引き寄せるものである。
【０００９】
また突き合わせ治具は３つの実施の形態があり、図１は第１の実施の形態、図２は第２の実施の形態、図３は第３の実施の形態をそれぞれ示し、各実施の形態において同じ構成は同じ符号を付して説明し、異なる構成は異なった符号を付して説明する。
【００１０】
第１の実施の形態の突き合わせ治具１は、図１に示すように、適宜間隔をもって対向設置された掛止板２と、これらの掛止板２の間にわたって設置されたネジ棒３と、このネジ棒３に沿って掛止板２間に設置されたガイド棒４とから構成されている。
【００１１】
掛止板２はＬ形であり、一方の片が垂直になるように対向され、この対向した垂直片５に挿入溝６が切欠形成されている。この挿入溝６は下側に向かって漸次広くなって、同図の（２）に示すように、どのような径の鉄筋７であっても挿入できるようになっている。
【００１２】
ネジ棒３は中央部のラチェットレンチ８と、この両側のボルト９とからなり、このボルト９が掛止板の水平片１０のナット１１にねじ込まれている。これらのボルト９は一方が他方に対して逆ネジになっており、ラチェットレンチ８を一方向、例えば時計回りに回転させると掛止板２が内側方向、すなわち垂直片５同士が合わさる方向に移動する。一方、ラチェットレンチ８を前記と反対方向に回転させると掛止板２が前記とは反対方向に移動する。
【００１３】
またガイド棒４はネジ棒３の回転による掛止板２の移動時の上下左右の振れを防いで、安定した移動をさせるものであり、一端が水平片１０に溶接され、他端が一方の水平片の鞘管１２に移動可能に挿入されている。よって掛止板２にともなってガイド棒４が鞘管１２内を移動して、その振れ止めを行う。
【００１４】
また同図の（３）は突き合わせ治具１を梁鉄筋１３と、柱の連結筋１４との間に設置したものであり、それぞれの主筋１５が挿入溝６に挿入されて固定ナット１６とカプラー１７とで固定されている。この状態でラチェットレンチ８を一方向に回転させると、梁鉄筋１３が柱側に引き寄せられて主筋１５同士が突き合わされ、カプラー１７と固定ナット１６とで接合される。なお、主筋１５同士の突き合わせ時に、多少のズレがあった場合は手作業で補正する。
【００１５】
なお上記の実施の形態においては、掛止板２間にガイド棒４が設置されているが、このガイド棒４が設置されていない突き合わせ治具を形成することもできる。
【００１６】
また図２は第２の実施の形態の突き合わせ治具１８を示し、この突き合わせ治具１８は垂直片５に２つの挿入溝６が形成されたものであり、これ以外は第１の実施の形態の突き合わせ治具１と同じ構成である。この突き合わせ治具１８は、２本の主筋を掛止板２に掛け止めて、その設置を安定させるとともに、主筋の配筋間隔が異なった場合でも対応することができる。
【００１７】
また図３は第３の実施の形態の突き合わせ治具１９を示し、この突き合わせ治具１９は第１の実施の形態の突き合わせ治具１を連結板２０で移動自在に接続したものである。これらの突き合わせ治具１９は主筋の配筋間隔に応じて離したり、接近させたりすることができる。
【００１８】
【発明の効果】
地組した梁鉄筋を簡単に柱側に引き寄せて、梁鉄筋の主筋を柱の連結筋の主筋に突き合わせることができる突き合わせ治具を提供することができる。また脚立上での無理な作業や力を必要としないので安全な作業となる。また比較的軽量な作業となる。
【図面の簡単な説明】
【図１】第１の実施の形態の突き合わせ治具であり、（１）は斜視図、（２）は挿入孔の正面図、（３）は突き合わせ治具を設置した正面図である。
【図２】第２の実施の形態の突き合わせ治具の斜視図である。
【図３】第３の実施の形態の突き合わせ治具の斜視図である。
【図４】従来の梁鉄筋の設置状態を示した図である。
【符号の説明】
１、１８、１９  突き合わせ治具
２  掛止板
３  ネジ棒
４  ガイド棒
５  垂直片
７  鉄筋
６  挿入溝
８  ラチェットレンチ
９  ボルト
１０  水平片
１１  ナット
１２  鞘管
１３、２１  梁鉄筋
１４、２４  連結筋
１５  主筋
１６  固定ナット
１７  カプラー
２０  連結板
２２  作業員
２３  柱
【図１】
2004232278.tif 000003
【図２】
2004232278.tif 000004
【図３】
2004232278.tif 000005
【図４】
2004232278.tif 000006